(57)【特許請求の範囲】
【請求項１】
複数チャンネルの番組を記録媒体に同時録画する機器と接続された録画装置であって、
複数チャンネルの番組を記録媒体に同時録画する録画制御部と、
前記機器および前記録画制御部による同時録画に関する設定情報を受け付ける第１受付部と、
前記機器および前記録画制御部のうち前記受け付けた設定情報の設定先を受け付ける第２受付部と、
前記機器が同時録画する前記記録媒体の第１記録容量を示す容量情報を取得する第１取得部と、
前記受け付けた設定情報を前記受け付けた設定先に設定する第１設定方法、または前記取得した容量情報が示す第１記録容量および前記録画制御部が同時録画する前記記録媒体の第２記録容量に従って、前記受け付けた設定情報を前記機器または前記録画制御部に設定する第２設定方法を選択する選択部と、
前記第１設定方法が選択された場合、前記受け付けた設定情報を前記受け付けた設定先に設定し、前記第２設定方法が選択された場合、前記第１記録容量および前記第２記録容量に従って、前記受け付けた設定情報を前記機器または前記録画制御部に設定する設定部と、
前記機器に設定された設定情報を前記機器に送信する送信部と、を備え、
前記録画制御部は、当該録画制御部に設定された設定情報に従って複数チャンネルの番組を前記記録媒体に同時録画する録画装置。
【請求項２】
前記第１受付部は、前記機器および前記録画制御部により同時録画するチャンネルを受け付け、
前記設定部は、前記第１設定方法が選択された場合、前記受け付けたチャンネルを前記受け付けた設定先に設定し、前記第２設定方法が選択された場合、前記第１記録容量および前記第２記録容量に従って、前記受け付けたチャンネルのうちビットレートが高いチャンネルを、前記機器および前記録画制御部のうち記録容量が多い記録媒体に複数チャンネルの番組を同時録画する方に設定する請求項１に記載の録画装置。
【請求項３】
前記第１受付部は、前記機器および前記録画制御部により同時録画するチャンネルを受け付け、
前記設定部は、前記第１設定方法が選択された場合、前記受け付けたチャンネルを前記受け付けた設定先に設定し、前記第２設定方法が選択された場合、前記第１記録容量および前記第２記録容量に従って、前記機器および前記録画制御部のうち記録容量が多い記録媒体に複数チャンネルの番組を同時録画する方に他方よりも多くのチャンネルを設定する請求項１に記載の録画装置。
【請求項４】
前記第１受付部は、前記機器および前記録画制御部により同時録画する録画時間の入力を受け付け、
前記設定部は、前記第１設定方法が選択された場合、前記受け付けた録画時間を前記受け付けた設定先に設定し、前記第２設定方法が選択された場合、前記第１記録容量および前記第２記録容量に従って、前記機器および前記録画制御部のうち記録容量が多い記録媒体に複数チャンネルの番組を同時録画する方に他方よりも長い録画時間を設定する請求項１から３のいずれか一に記載の録画装置。
【請求項５】
前記機器が同時録画したチャンネルの番組を示す第１番組情報を取得する第２取得部と、
前記取得した第１番組情報および前記録画制御部が同時録画したチャンネルの番組を示す第２番組情報をチャンネル毎に時系列に並べた過去番組表を表示部に表示する表示制御部と、
を備えた請求項１から４のいずれか一に記載の録画装置。
【請求項６】
前記第２取得部は、前記過去番組表に並べられる前記第１番組情報に加えて、前記過去番組表に並べられた前記第１番組情報の前後の所定時間内に同時録画するチャンネルの番組を示す前記第１番組情報を取得する請求項５に記載の録画装置。
【請求項７】
前記録画制御部が同時録画した前記記録媒体または前記機器から入力された番組を再生する再生部と、
前記過去番組表に並べられた前記第１番組情報および前記第２番組情報から前記第１番組情報が選択された場合、当該選択された第１番組情報が示す番組を前記機器から読み出して前記再生部に入力し、前記過去番組表に並べられた前記第１番組情報および前記第２番組情報から前記第２番組情報が選択された場合、当該選択された第２番組情報が示す番組を前記録画制御部が同時録画した前記記録媒体から読み出して前記再生部に入力する入力切替部と、
を備えた請求項５または６に記載の録画装置。
【請求項８】
前記入力切替部は、前記機器と前記録画装置とがＬＡＮおよびＨＤＭＩにより接続されている場合、前記選択された第１番組情報が示す番組を前記機器から読み出す際、前記ＨＤＭＩを介して、当該選択された第１番組情報が示す番組を読み出す請求項７に記載の録画装置。
【請求項９】
複数チャンネルの番組を記録媒体に同時録画する機器と接続された録画装置で実行される録画方法であって、
前記録画装置は、
録画制御部が、複数チャンネルの番組を記録媒体に同時録画する工程と、
第１受付部が、前記機器および前記録画制御部による同時録画に関する設定情報を受け付ける工程と、
第２受付部が、前記機器および前記録画制御部のうち前記受け付けた設定情報の設定先を受け付ける工程と、
第１取得部が、前記機器が同時録画する前記記録媒体の第１記録容量を示す容量情報を取得する工程と、
選択部が、前記受け付けた設定情報を前記受け付けた設定先に設定する第１設定方法、または前記取得した容量情報が示す第１記録容量および前記録画制御部が複数チャンネルの番組を同時録画する記録媒体の第２記録容量に従って、前記受け付けた設定情報を前記機器または前記録画制御部に設定する第２設定方法を選択する工程と、
設定部が、前記第１設定方法が選択された場合、前記受け付けた設定情報を前記受け付けた設定先に設定し、前記第２設定方法が選択された場合、前記第１記録容量および前記第２記録容量に従って、前記受け付けた設定情報を前記機器または前記録画制御部に設定する工程と、
送信部が、前記機器に設定された設定情報を前記機器に送信する工程と、を含み、
前記録画制御部は、当該録画制御部に設定された設定情報に従って複数チャンネルの番組を前記記録媒体に同時録画する録画方法。
【発明の詳細な説明】
【技術分野】
【０００１】
本発明の実施形態は、録画装置および録画方法に関する。
【背景技術】
【０００２】
複数チャンネルの番組を同時録画する同時録画機能を搭載したデジタルテレビジョンが開示されている。一方で、当該同時録画機能を搭載したレコーダの開発も進められている。これにより、デジタルテレビジョンおよびレコーダの両方が同時録画機能を搭載することになるため、今後、ユーザは、同時録画機能を搭載した機器を複数所有することが十分に考えられる。
【０００３】
そして、同時録画機能を搭載した機器を複数所有する場合、機器間で各機器の管理情報（各機器が同時録画する記録媒体の記録容量）や設定情報（同時録画するチャンネルや録画時間）を共有し合うことで、各機器が搭載する複数の同時録画機能を１つの同時録画機能とし、機器間で連携して設定情報の設定を行う技術が提案されている。
【０００４】
具体的には、同時録画機能を搭載した機器を複数所有し、それらの機器がデータ転送可能な環境で接続されている場合に、各機器の管理情報や設定情報を１つの機器に集中させることで、ユーザにより入力された情報に従って１つの機器で複数の機器の設定情報を設定することを可能とする。これにより、従来、同時録画機能を備えた各機器に設定情報を設定する場合、ユーザがそれぞれの機器を起動・操作して設定情報を設定する必要があったが、１つの機器で他の機器に設定された設定情報を確認しながら、それぞれの機器の設定情報を独立させた状態で設定することができる。
【０００５】
また、同時録画機能を搭載した機器を複数所有し、それらの機器がデータ転送可能な環境で接続されている場合に、各機器の管理情報や設定情報を１つの機器に集中させ、かつ管理情報を用いて設定情報を自動的に設定することも可能となる。これにより、それぞれの機器の設定情報をまとめて設定したり、番組を録画するチャンネルや録画時間を機器間で排他して設定したりすることができる。
【先行技術文献】
【特許文献】
【０００６】
【特許文献１】特開２００１−８１５０号公報
【発明の概要】
【発明が解決しようとする課題】
【０００７】
ところで、同時録画機能を搭載した機器がデータ転送可能な環境で接続されている場合に、ユーザにより入力された情報に従って１つの機器で複数の機器の設定情報を設定する設定方法、および各機器の管理情報に従って各機器の設定情報を自動的に設定する設定方法のうちいずれか一方の設定方法を選択可能とすることが求められている。
【０００８】
本発明は、上記に鑑みてなされたものであって、ユーザが希望する設定方法で機器毎の設定情報を設定でき、かつ機器毎の設定情報を設定する際のユーザの手間を軽減することができる録画装置および録画方法を提供することを目的とする。
【課題を解決するための手段】
【０００９】
実施形態の録画装置は、複数チャンネルの番組を記録媒体に同時録画する機器と接続された録画装置であって、録画制御部と、第１受付部と、第２受付部と、第１取得部と、選択部と、設定部と、送信部と、を備える。前記録画制御部は、複数チャンネルの番組を記録媒体に同時録画する。前記第１受付部は、前記機器および前記録画制御部による同時録画に関する設定情報を受け付ける。前記第２受付部は、前記機器および前記録画制御部のうち前記受け付けた設定情報の設定先を受け付ける。前記第１取得部は、前記機器が同時録画する前記記録媒体の第１記録容量を示す容量情報を取得する。前記選択部は、前記受け付けた設定情報を前記受け付けた設定先に設定する第１設定方法、または前記取得した容量情報が示す第１記録容量および前記録画制御部が同時録画する前記記録媒体の第２記録容量に従って、前記受け付けた設定情報を前記機器または前記録画制御部に設定する第２設定方法を選択する。前記設定部は、前記第１設定方法が選択された場合、前記入力を受け付けた設定情報を前記受け付けた設定先に設定し、前記第２設定方法が選択された場合、前記第１記録容量および前記第２記録容量に従って、前記受け付けた設定情報を前記機器または前記録画制御部に設定する。前記送信部は、前記機器に設定された設定情報を前記機器に送信する。前記録画制御部は、当該録画制御部に設定された設定情報に従って複数チャンネルの番組を前記記録媒体に同時録画する。
【図面の簡単な説明】
【００１０】
【図１】図１は、複数チャンネルを同時録画する複数の機器が接続された録画システムの構成を示す図である。
【図２】図２は、本実施形態にかかるデジタルテレビジョンの構成の一例を示すブロック図である。
【図３】図３は、本実施形態のチューナの詳細構成例を示すブロック図である。
【図４Ａ】図４Ａは、システムコントローラの機能構成を示すブロック図である。
【図４Ｂ】図４Ｂは、こだわり設定またはおまかせ設定によりチャンネルを設定する処理の流れを示すフローチャートである。
【図４Ｃ】図４Ｃは、こだわり設定またはおまかせ設定により録画時間を設定する処理の流れを示すフローチャートである。
【図５】図５は、レコーダおよびループ録画部で同時録画するチャンネルをこだわり設定で設定する際のチャンネル設定画面の一例を示す図である。
【図６】図６は、レコーダおよびループ録画部で同時録画するチャンネルをこだわり設定で設定した際のチャンネル確認画面の一例を示す図である。
【図７】図７は、レコーダおよびループ録画部で同時録画する録画時間をこだわり設定で設定する際の録画時間設定画面の一例を示す図である。
【図８】図８は、こだわり設定で設定された設定情報に従った各機器での同時録画の一例を説明するための図である。
【図９】図９は、同時録画するチャンネルをおまかせ設定で設定する際のチャンネル設定画面の一例を示す図である。
【図１０】図１０は、同時録画するチャンネルをおまかせ設定で設定した際のチャンネル確認画面の一例を示す図である。
【図１１】図１１は、同時録画する録画時間をおまかせ設定で設定する際の録画時間設定画面の一例を示す図である。
【図１２】図１２は、同時録画する録画時間をおまかせ設定で設定した際の録画時間確認画面の一例を示す図である。
【図１３】図１３は、こだわり設定で設定されたチャンネルおよびおまかせ設定で設定された録画時間に従って各機器で実行される同時録画の一例を説明するための図である。
【図１４】図１４は、おまかせ設定で設定されたチャンネルおよびこだわり設定で設定された録画時間に従って各機器での同時録画の一例を説明するための図である。
【図１５】図１５は、おまかせ設定で設定されたチャンネルおよび録画時間に従って各機器で実行される同時録画の他の例を説明するための図である。
【図１６】図１６は、レコーダおよびループ録画部で同時録画した番組の番組情報を並べた過去番組表の一例を示す図である。
【図１７】図１７は、レコーダおよびループ録画部で同時録画した番組の番組情報を取得する処理を説明するための図である。
【図１８】図１８は、レコーダおよびループ録画部で同時録画をした番組の番組情報を並べた過去番組表をスクロールさせる処理を説明するための図である。
【発明を実施するための形態】
【００１１】
以下、添付図面を参照しながら、本実施形態にかかる録画装置および録画方法を詳細に説明する。
【００１２】
図１は、複数チャンネルを同時録画する複数の機器が接続された録画システムの構成を示す図である。本実施形態にかかる録画システム１は、複数チャンネルを同時録画する同時録画機能を備えた機器が複数存在した場合に、それらの機器の同時録画機能を１つの同時録画機能として使用することができるものである。そして、本実施形態にかかる録画システム１は、同時録画機能を備えた機器として、自身が備えるＨＤＤや外付けＨＤＤなどの記録媒体に対して複数チャンネルを同時録画する同時録画機能を実行するレコーダ１１（機器）と、複数チャンネルを同時録画する同時録画機能を実行するデジタルテレビジョン１０（録画装置）と、を備えている。
【００１３】
同時録画機能を備えた機器間には、レコーダ１１が同時録画するチャンネルや録画時間など同時録画に関する設定情報やレコーダ１１が同時録画する番組を示す番組情報（以下、第１番組情報とする）などのデータを送るための経路が設けられている。そして、レコーダ１１は、デジタルテレビジョン１０から送信された設定情報に従って複数チャンネルの番組を同時録画する。本実施形態では、機器間においてデータを送るための経路として、ＨＤＭＩ（High  Definition  Multimedia  Interface）１３およびルータ１２を介したＬＡＮ（Local  Area  Network）１４を用いている。なお、本実施形態では、機器間においてデータを送るための経路としてＨＤＭＩ１３およびＬＡＮ１４を、機器間においてデータを送ることができるものであれば、これに限定するものではない。そして、デジタルテレビジョン１０およびレコーダ１１は、ＨＤＭＩ１３およびＬＡＮ１４を利用して設定情報の送受信および第１番組情報の取得を行うための機能として、ＭＦＣモジュール１５を備えている。
【００１４】
なお、本実施形態では、同時録画機能を備えた複数の機器が接続された録画システム１として、レコーダ１１およびデジタルテレビジョン１０を用いているが、同時録画機能を複数の機器を接続したものであれば良く、例えば、デジタルテレビジョン同士やレコーダ同士を接続したものであっても良い。また、本実施形態では、録画システム１は、２台の機器を接続しているが、２台以上の機器を接続しても良く、その台数は問わないものとする。以下の説明では、同時録画機能を備えた機器として、デジタルテレビジョン１０を例にとり説明するが、当該デジタルテレビジョン１０と接続された他の機器（レコーダ１１）も同様の構成を有しているものとする。
【００１５】
図２は、本実施形態にかかるデジタルテレビジョンの構成の一例を示すブロック図である。なお、以下の説明では、デジタルテレビジョン１０の構成について説明するが、レコーダ１１もほぼ同様の構成を有しているものとする。本実施形態にかかるデジタルテレビジョン１０は、図２に示すように、チューナ部１０１、録画再生部１０５、ＨＤＤ（Hard  Disk  Drive）１１０、ＥＰＧ（Electric  Program  Guide）処理部１１２、ＥＰＧメモリ１１３、ＭＰＥＧ（Moving  Picture  Experts  Group）デコーダ１１４、表示制御部１１５、リモコン受信部１１６、システムコントローラ１１７、およびＭＦＣモジュール１５を備える。
【００１６】
チューナ部１１０は、番組などのコンテンツデータや制御データが多重化されたコンテンツデータとしてのトランスポートストリーム（Transport  Stream）を放送局から受信する。
【００１７】
本実施形態では、チューナ部１１０は、チューナ１０１−１〜１０１−Ｎ（Ｎは自然数）を備えており、それぞれチャンネルＣｈ１〜ＣｈＮのトランスポートストリームを受信する。そして、チューナ１０１−１〜１０１−Ｎは、それぞれチャンネルＣｈ１〜ＣｈＮのトランスポートストリームを録画再生部１０５およびＥＰＧ処理部１１２に出力する。
【００１８】
ここで、本実施形態のチューナ１０１−１〜１０１−Ｎの詳細について説明する。チューナ１０１−１〜１０１−Ｎは、同様の構成であるため、チューナ１０１−１を例として説明する。
【００１９】
図３は、本実施形態のチューナの詳細構成例を示すブロック図である。図３に示すように、チューナ１０１−１は、選局部２０１、分離部２０２、デスクランブラ２０３、分離部２０４、およびＩＣカード２０６を備える。
【００２０】
選局部２０１は、アンテナ入力を選局し、選局したチャンネルのトランスポートストリームを分離部２０２およびデスクランブラ２０３に出力する。
【００２１】
分離部２０２は、選局部２０１から入力されたトランスポートストリームに多重されている制御データＥＣＭを分離し、分離した制御データＥＣＭをＩＣカード２０６に出力する。また、分離部２０２は、選局部２０１から入力されたトランスポートストリームを分離部２０４に出力する。分離部２０４は、分離部２０２から入力されたトランスポートストリームに多重されている制御データＥＭＭを分離し、分離した制御データＥＭＭをＩＣカード２０６に出力する。
【００２２】
ＩＣカード２０６は、分離部２０２から入力された制御データＥＣＭおよび分離部２０４から入力された制御データＥＭＭを用いてスクランブル鍵を復号する。デスクランブラ２０３は、ＩＣカード２０６で復号されたスクランブル鍵を用いてトランスポートストリームに多重されているコンテンツデータをデスクランブルし、出力する。なお、本実施形態では、チューナ１０１−１〜１０１−ＮそれぞれにＩＣカード２０６が備えられているが、複数のチューナがＩＣカード２０６を兼用するようにしても良い。
【００２３】
図２に戻り、録画再生部１０５は、記録対象チャンネルのＣｈ１〜ＣｈＮのトランスポートストリームからコンテンツデータを抽出して、録画や再生を行うものであり、ループ録画部１０６、ＰＶＲ録画部１０７、再生部１０８、入力切替部１０９などを備える。
【００２４】
ループ録画部１０６は、概念的にループ状に形成されている記録領域に連続して記録し、既に記録済みの記録領域に記録する場合には上書き記録を行うループ記録方式を採用している。例えば、２４録画時間連続的にＨＤＤ１１０およびＭＦＣモジュール１５を介して外付けＨＤＤ（図示しない）にコンテンツデータを記録する。ここで、ＨＤＤ１１０および外付けＨＤＤ（図示しない）は、同様の構成となっており、ループ録画領域１１０ＡおよびＰＶＲ記録領域１１０Ｂを備えている。
【００２５】
そして、ループ録画部１０６は、ＨＤＤ１１０または外付けＨＤＤ（図示しない）のループ録画領域１１０Ａの先頭から順にコンテンツデータを記録し、末尾まで記録すると、再度先頭から記録（上書き）をする。
【００２６】
また、ループ録画部１０６は、ＨＤＤ１１０または外付けＨＤＤ（図示しない）のループ録画領域１１０Ａに記録されたコンテンツデータを一定の録画時間経過後に消去するようにすることも可能である。また、ループ録画部１０６は、ループ録画領域１１０Ａに記録されたコンテンツデータの容量が所定の容量を超えた場合に消去するようにすることも可能である。
【００２７】
また、ループ録画部１０６は、後述のシステムコントローラ１１７により設定された設定情報が含む録画時間を受け付け、受け付けた録画時間内にチューナ部１０１で受信される複数チャンネルのトランスポートストリーム（番組）をループ録画方式でＨＤＤ１１０または外付けＨＤＤ（図示しない）のループ録画領域１１０Ａに同時録画する。また、ループ録画部１０６は、後述のシステムコントローラ１１７により設定された設定情報が含むチャンネルを受け付け、受け付けたチャンネルの複数のトランスポートストリーム（番組）をループ録画方式でＨＤＤ１１０または外付けＨＤＤ（図示しない）のループ録画領域１１０Ａに同時録画する。つまり、ループ録画部１０６は、ＨＤＤ１１０または外付けＨＤＤ（図示しない）などの記録媒体に、複数チャンネルの同時録画する録画制御部に相当し、後述するシステムコントローラ１１７により設定された設定情報に従って同時録画するものである。ここで、設定情報は、ループ録画部１０６が同時録画するチャンネルや録画時間など同時録画に関する情報である。
【００２８】
ＰＶＲ録画部１０７は、通常の録画方式であるＰＶＲ録画方式でＨＤＤ１１０にトランスポートストリームを記録する。具体的には、ＰＶＲ録画部１０７は、ＨＤＤ１１０のＰＶＲ記録領域１１０Ｂにトランスポートストリームを記録する。なお、ＰＶＲ録画部１０７は、後述のシステムコントローラ１１７から消去が指示されるまで、ＰＶＲ記録領域１１０Ｂに記録されたトランスポートストリームを消去せず、保存する。
【００２９】
なお、ループ録画部１０６およびＰＶＲ録画部１０７は、トランスポートストリームを記録した番組のチャンネルを示すチャンネル情報、トランスポートストリームを記録した番組の番組名、トランスポートストリームを記録した記録日時、コンテンツデータの再生履歴などの情報をトランスポートストリームに付加して、ＨＤＤ１１０のループ録画領域１１０ＡおよびＰＶＲ記録領域１１０Ｂに記録するものとする。
【００３０】
再生部１０８は、記録対象チャンネルＣｈ１〜ＣｈＮのトランスポートストリームから抽出したコンテンツデータを再生してＭＰＥＧデコーダ１１４に出力する。また、再生部１０８は、システムコントローラ１１７およびＭＦＣモジュール１５を介してレコーダ１１またはＨＤＤ１１０から入力されたコンテンツデータ（番組）を再生してＭＰＥＧデコーダ１１４に出力する。
【００３１】
入力切替部１０９は、後述するＥＰＧ処理部１１２により表示された過去番組表に並べられた第１番組情報または第２番組情報から第１番組情報が選択された場合、当該選択された第１番組情報が示すコンテンツデータを、レコーダ１１から読み出して再生部１０８に入力し、後述するＥＰＧ処理部１１２により表示された過去番組表に並べられた第１番組情報または第２番組情報から第２番組情報が選択された場合、当該選択された第２番組情報が示すコンテンツデータを、ＨＤＤ１１０から読み出して再生部１０８に入力する。ここで、第１番組情報は、レコーダ１１で同時録画するチャンネルの番組を示すものであり、第２番組情報は、ループ録画部１０６で同時録画するチャンネルの番組を示すものである。
【００３２】
ＥＰＧ処理部１１２は、記録対象チャンネルＣｈ１〜ＣｈＮのトランスポートストリームから、各チャンネルの各録画時間の番組を示す第１番組情報（ＳＩ情報）であるＥＰＧ情報を抽出し、ＥＰＧメモリ１１３に記憶する。また、ＥＰＧ処理部１１２は、ＥＰＧメモリ１１３に記憶されているＥＰＧ情報を常に新しい内容に更新するため、Ｃｈ１〜ＣｈＮのトランスポートストリームからＥＰＧ情報を抽出し、抽出したＥＰＧ情報でＥＰＧメモリ１１３に記憶されているＥＰＧ情報を更新する。
【００３３】
なお、本実施形態では、日本の地上ディジタル放送のように記録対象チャンネルＣｈ１〜ＣｈＮの各トランスポートストリームから各チャンネルのＥＰＧ情報を抽出するものとするが、これに限定するものではない。例えば、ＢＳ（Broadcasting  Satellite）ディジタル放送のように各チャンネルにＢＳ全チャンネルのＥＰＧ情報が多重されている場合もある。いずれにしても、ＥＰＧ処理部１１２は、自装置で受信可能なチャンネル数分のＥＰＧ情報を抽出し、ＥＰＧメモリ１１３に記憶する。
【００３４】
また、ＥＰＧ処理部１１２は、後述のシステムコントローラ１１７から番組表の表示指示を受け、ＥＰＧメモリ１１３に記憶されているＥＰＧ情報を取得し、取得したＥＰＧ情報をチャンネル毎に時系列に並べた番組表（後述する過去番組表を含む）の番組表データを表示制御部１１５に出力する。
【００３５】
ＭＰＥＧデコーダ１１４は、録画再生部１０５から入力されたトランスポートストリームにＭＰＥＧ２デコード処理を施し、表示制御部１１５に出力する。
【００３６】
表示制御部１１５は、ＥＰＧ処理部１１２から出力された番組表データやＭＰＥＧデコーダ１１４から出力されたトランスポートストリームを、テレビジョン信号として表示部１２０に出力する。
【００３７】
また、本実施形態では、ループ録画方式で同時録画された複数チャンネルのトランスポートストリーム（番組）の一覧は、システムコントローラ１１７により番組表形式で作成され、表示制御部１１５により表示部１２０に表示される。また、ＰＶＲ録画形式で記録されたトランスポートストリームの一覧は、録画再生部１０５により作成され、表示制御部１１５により表示部１２０に表示される。
【００３８】
表示部１２０は、表示制御部１１５から入力されたテレビジョン信号に基づいて番組を表示したり、ループ録画方式で同時録画された複数チャンネルのトランスポートストリーム（番組）の一覧やＰＶＲ録画方式で記録されたトランスポートストリームの一覧を表示したりする。なお、表示部１２０は、液晶ディスプレイ、プラズマディスプレイ、または有機ＥＬディスプレイなどにより実現される。
【００３９】
リモコン受信部１１６は、リモートコントローラ（以下、リモコンとする）１３０から、ループ録画方式で同時録画する録画時間やチャンネルの入力、ＰＶＲ録画方式での記録指示、ＰＶＲ録画方式で記録されたコンテンツデータの削除指示、ＨＤＤ１１０に記録されたトランスポートストリームの再生指示、ループ録画領域１１０Ａに記録されている番組の一覧やＰＶＲ録画領域１１０Ｂに記録されている番組の一覧の表示指示などを受信し、システムコントローラ１１７へ通知する。
【００４０】
システムコントローラ１１７は、デジタルテレビジョン１０全体を制御する。例えば、システムコントローラ１１７は、リモコン受信部１１６からの通知を受け、デジタルテレビジョン１０の各部にリモコン受信部１１６からの通知に応じた制御や指示を行う。
【００４１】
図４Ａは、システムコントローラおよびＭＦＣモジュールの機能構成を示すブロック図である。システムコントローラ１１７およびＭＦＣモジュール１５は、受信部１１７ｇ、第１受付部１１７ａ，第２受付部１１７ｈ、第１取得部１１７ｂ、選択部１１７ｃ、設定部１１７ｄ、送信部１１７ｅ、および第２取得部１１７ｆを備えている。
【００４２】
受信部１１７ｇは、ＭＦＣモジュール１５により実現され、ＨＤＭＩ１３またはＬＡＮ１４を利用して、レコーダ１１から当該レコーダ１１に設定された設定情報を受信するものである。
【００４３】
第１受付部１１７ａは、システムコントローラ１１７により実現され、リモートコントローラ１３０の操作に応じて、レコーダ１１およびループ録画部１０６により同時録画するチャンネルや録画時間など、レコーダ１１およびループ録画部１０６による同時録画に関する設定情報を受け付けるものである。
【００４４】
第２受付部１１７ｈは、システムコントローラ１１７により実現され、リモートコントローラ１３０の操作に応じて、ループ録画部１０６およびレコーダ１１のうち、第１受付部１１７ａにより受け付けた設定情報を設定する設定先を受け付けるものである。
【００４５】
第１取得部１１７ｂは、ＭＦＣモジュール１５により実現され、レコーダ１１が同時録画するＨＤＤなどの記録媒体の第１記録容量を示す容量情報を取得するものである。本実施形態では、第１取得部１１７ｂは、レコーダ１１から、第１記録容量を示す容量情報を取得する。さらに、本実施形態では、第１取得部１１７ｂは、録画再生部１０５から、ループ録画部１０６が同時録画するＨＤＤ１１０（ループ録画領域１１０Ａ）の第２記録容量を示す容量情報を取得する。
【００４６】
選択部１１７ｃは、システムコントローラ１１７により実現され、第２受付部１１７ｈにより受け付けた設定先（ループ録画部１０６およびレコーダ１１のうち少なくとも一方）に、第１受付部１１７ａにより受け付けた設定情報を設定するこだわり設定（第１設定方法）、または第１取得部１１７ｂが取得した容量情報が示す第１記録容量および第２記録容量に従って、第１受付部１１７ａにより受け付けた設定情報をレコーダ１１またはループ録画部１０６に設定するおまかせ設定（第２設定方法）を選択するものである。
【００４７】
設定部１１７ｄは、システムコントローラ１１７により実現され、選択部１１７ｃで選択された設定方法を用いて、第１受付部１１７ａにより受け付けた設定情報を、レコーダ１１またはループ録画部１０６に設定するものである。そして、設定部１１７ｄは、設定された設定情報をループ録画部１０６に送って、当該設定された設定情報に従って同時録画することをループ録画部１０６に指示する。より具体的には、設定部１１７ｄは、こだわり設定が選択された場合、第１受付部１１７ａにより受け付けた設定情報を、第２受付部１１７ｈにより受け付けた設定先に設定する。また、設定部１１７ｄは、おまかせ設定が選択された場合、第１取得部１１７ｂが取得した容量情報が示す第１記録容量および第２記録容量に従って、第１受付部１１７ａにより受け付けた設定情報をレコーダ１１またはループ録画部１０６に設定する。
【００４８】
本実施形態では、設定部１１７ｄは、こだわり設定が選択された場合、第２受付部１１７ｈにより受け付けた設定先に、第１受付部１１７ａにより受け付けたチャンネルを設定する。また、設定部１１７ｄは、こだわり設定が選択された場合、第２受付部１１７ｈにより受け付けた設定先に、第１受付部１１７ａにより受け付けた録画時間を設定する。例えば、レコーダ１１およびループ録画部１０６それぞれに異なるチャンネルを設定することにより、レコーダ１１およびループ録画部１０６で同時録画できるチャンネル数を増加させることができる。また、レコーダ１１およびループ録画部１０６で同時録画するチャンネルを統一するとともに、レコーダ１１およびループ録画部１０６で同時録画する録画時間を異ならせることにより、レコーダ１１およびループ録画部１０６で特定のチャンネルを同時録画できる時間を長くすることができる。
【００４９】
一方、設定部１１７ｄは、おまかせ設定が選択された場合、第１取得部１１７ｂにより取得した容量情報が示す第１記録容量および第２記録容量に従って、第１受付部１１７ａにより受け付けたチャンネルのうちビットレートが高いチャンネルを、レコーダ１１およびループ録画部１０６のうち記録容量が多い記録媒体に同時録画する方に設定する。一方、設定部１１７ｄは、おまかせ設定が選択された場合、第１取得部１１７ｂにより取得した容量情報が示す第１記録容量および第２記録容量に従って、第１受付部１１７ａにより受け付けたチャンネルのうちビットレートが低いチャンネルを、レコーダ１１およびループ録画部１０６のうち記録容量が少ない記録媒体に同時録画する方に設定する。
【００５０】
または、設定部１１７ｄは、おまかせ設定が選択された場合、第１取得部１１７ｂが取得した容量情報が示す第１記録容量および第２記録容量に従って、レコーダ１１およびループ録画部１０６のうち記録容量が多い記録媒体に同時録画する方に他方よりも多くのチャンネルを設定する。一方、設定部１１７は、おまかせ設定が選択された場合、第１取得部１１７ｂが取得した容量情報が示す第１記録容量および第２記録容量に従って、レコーダ１１およびループ録画部１０６のうち記録容量が少ない記録媒体に同時録画する方に他方よりも少ないチャンネルを設定する。特に、設定部１１７ｄは、おまかせ設定が選択されかつレコーダ１１およびループ録画部１０６で同時録画するチャンネル数の合計が奇数である場合に、取得された容量情報が示す第１記録容量および第２記録容量に従って、レコーダ１１およびループ録画部１０６のうち記録容量が多い記録媒体に同時録画する方に他方よりも多くのチャンネルを設定する。
【００５１】
さらに、設定部１１７ｄは、おまかせ設定が選択された場合、第１取得部１１７ｂにより取得した容量情報が示す第１記録容量および第２記録容量に従って、レコーダ１１およびループ録画部１０６のうち記録容量が多い記録媒体に同時録画する方に他方よりも長い録画時間を設定する。なお、取得された容量情報が示す第１記録容量および第２記録容量が互いに等しい場合、設定部１１７ｄは、レコーダ１１およびループ録画部１０６が同時録画する録画時間が等しくなるように、受け付けた録画時間を、レコーダ１１およびループ録画部１０６に設定する。つまり、各機器に設定される録画時間は、各機器が同時録画する記録媒体の記録容量に従って変化する。
【００５２】
これにより、複数チャンネルのうち、どのチャンネルをどの機器で同時録画するかが自動的に設定されるので、ユーザによる設定情報の設定の手間が軽減される。また、複数チャンネルを同時録画する録画時間のうち、どの機器でどの録画時間を同時録画するかが自動的に設定されるため、ユーザはどの機器でどの録画時間を同時録画するかを意識する必要が無くなる。
【００５３】
送信部１１７ｅは、ＭＦＣモジュール１５により実現され、設定部１１７ｄによりレコーダ１１に設定された設定情報を、レコーダ１１に送信する。本実施形態では、送信部１１７ｅは、受信部１１７ａにより受信した設定情報に、設定部１１７ｄによりレコーダ１１に設定された設定情報を含めて、レコーダ１１に送信するものとする。レコーダ１１は、送信部１１７ｅから送信された設定情報を受け取ると、受け取った設定情報によって、レコーダ１１に設定されている設定情報に反映させる。なお、本実施形態では、受信部１１７ａにより受信した設定情報に、レコーダ１１に設定された設定情報を含めて送信しているが、これに限定するものではなく、レコーダ１１に設定された設定情報のみをレコーダ１１に送信しても良い。
【００５４】
第２取得部１１７ｆは、ＭＦＣモジュール１５により実現され、レコーダ１１が同時録画するチャンネルの番組を示す第１番組情報を取得するものである。具体的には、第２取得部１１７ｆは、レコーダ１１から、当該レコーダ１１が同時録画するチャンネルの番組を示す第１番組情報を取得する。
【００５５】
本実施形態では、第２取得部１１７ｆは、ＥＰＧ処理部１１２により表示制御部１１５に出力される過去番組表（番組表データ）に並べられる第１番組情報に加えて、当該過去番組表に並べられる第１番組情報の前後の所定時間内に同時録画するチャンネルの番組を示す第１番組情報を取得する。そして、第２取得部１１７ｆは、取得した第１番組情報をＥＰＧ処理部１１２に送信することにより、過去番組表の表示指示を行う。
【００５６】
次に、レコーダ１１およびループ録画部１０６に対する設定情報の設定を、一台の機器（本実施形態では、デジタルテレビジョン１０）で行う処理の詳細について説明する。なお、本実施形態では、デジタルテレビジョン１０においてレコーダ１１およびループ録画部１０６に対する設定情報の設定を行う例について説明するが、レコーダ１１において当該レコーダ１１およびループ録画部１０６に対する設定情報の設定を行うことも可能である。
【００５７】
まず、図４Ｂ、図４Ｃ、および図５〜８を用いて、こだわり設定が選択された場合における、レコーダ１１およびループ録画部１０６に対する設定情報の設定処理について説明する。図４Ｂは、こだわり設定またはおまかせ設定によりチャンネルを設定する処理の流れを示すフローチャートである。図４Ｃは、こだわり設定またはおまかせ設定により録画時間を設定する処理の流れを示すフローチャートである。図５は、レコーダおよびループ録画部で同時録画するチャンネルをこだわり設定で設定する際のチャンネル設定画面の一例を示す図である。図６は、レコーダおよびループ録画部で同時録画するチャンネルをこだわり設定で設定した際のチャンネル確認画面の一例を示す図である。図７は、レコーダおよびループ録画部で同時録画する録画時間をこだわり設定で設定する際の録画時間設定画面の一例を示す図である。図８は、こだわり設定で設定された設定情報に従った各機器での同時録画の一例を説明するための図である。
【００５８】
まず、レコーダ１１およびループ録画部１０６が同時録画するチャンネルをこだわり設定で設定する場合について説明する。
【００５９】
受信部１１７ｇは、レコーダ１１に対して当該レコーダ１１に現状で設定情報として設定されているチャンネルの取得を要求して、当該レコーダ１１に現状設定されているチャンネルを受信する。表示制御部１１５は、チャンネルを設定するための画面であって、レコーダ１１から受け取ったチャンネルおよび設定部１１７ｄによりループ録画部１０６に設定情報として設定したチャンネルが表示されたチャンネル設定画面５００（図５参照）を表示部１２０に表示する。そして、チャンネル設定画面５００を利用してレコーダ１１およびループ録画部１０６それぞれが同時録画するチャンネルが設定されると、送信部１１７ｅは、設定されたチャンネルを設定情報としてレコーダ１１に送信する。
【００６０】
具体的には、ユーザがリモコン１３０を操作してチャンネル設定画面５００の表示が要求されると、図４ＢのステップＳ５１０において、表示制御部１１５は、チャンネル設定画面５００を表示部１２０に表示する。そして、図４ＢのステップＳ５１１において、チャンネル設定画面５００において、カーソル５０６が、設定方法を入力するための設定方法入力ボックス５０１に合わせられ、こだわり設定が入力されると、図４ＢのステップＳ５１２において、選択部１１７ｃは、チャンネルの設定方法としてこだわり設定を選択する。
【００６１】
次いで、表示制御部１１５は、レコーダ１１およびループ録画部１０６で同時録画するチャンネルの一覧５０２や、当該一覧５０２に含まれるチャンネルのうち同時録画するチャンネルおよび当該チャンネルを同時録画する機器（デジタルテレビジョン１０およびレコーダ１１）を入力するためのチェックボックス５０３，５０４を、チャンネル設定画面５００に表示する。ユーザは、リモコン１３０を操作して、同時録画するチャンネルのチェックボックス５０３，５０４にカーソル５０６を合わせ、かつリモコン１３０が備えるカラーボタン（図示しない）を押下してチェックボックス５０３，５０４にチェックマーク５０５を入れることで、同時録画を実行するチャンネルを入力することができる。
【００６２】
なお、チャンネル設定画面５００には、リモコン１３０が有するカラーボタンのうち同時録画するチャンネルの設定先（デジタルテレビジョン１０またはレコーダ１１）を入力するためのカラーボタンを表すカラーボタン表示５０８，５０９や、デジタルテレビジョン１０およびレコーダ１１において視聴可能な番組（つまり、同時録画した番組）の視聴に要する時間である視聴可能録画時間５１０や、同時録画するチャンネルとして設定可能なチャンネル数（つまり、デジタルテレビジョン１０およびレコーダ１１が有するチューナの数）５１１や、チャンネルの設定完了を入力するための設定完了ボタン５０７等が表示される。
【００６３】
例えば、一覧５０２に含まれるチャンネルのうち５チャンネルをデジタルテレビジョン１０およびレコーダ１１の両方で同時録画するチャンネルとして入力する場合、ユーザはリモコン１３０を操作して、同時録画する５チャンネルのチェックボックス５０３，５０４にカーソル５０６を合わせ、リモコン１３０の決定ボタン（図示しない）を押下する。すると、表示制御部１１５は、５チャンネルのチェックボックス５０３，５０４にチェックマーク５０５を入れる。これにより、５チャンネルが、デジタルテレビジョン１０およびレコーダ１１の両方で同時録画するチャンネルとして入力される。
【００６４】
一覧５０２に含まれるチャンネルのうち１，３，６チャンネルを一方の機器（例えば、デジタルテレビジョン１０）で同時録画を実行するチャンネルとして入力する場合、ユーザはリモコン１３０を操作して、同時録画する１，３，６チャンネルのチェックボックス５０３，５０４にカーソル５０６を合わせ、リモコン１３０のカラーボタン（図示しない）のうち、デジタルテレビジョン１０で同時録画することを入力するためのカラーボタン表示５０８（青）に対応する青のカラーボタン（図示しない）を押下する。すると、表示制御部１１５は、１，３，６チャンネルのチェックボックス５０３にチェックマーク５０５を入れる。これにより、１，３，６チャンネルがデジタルテレビジョン１０で同時録画するチャンネルとして入力される。
【００６５】
一方、一覧５０２に含まれるチャンネルのうち２チャンネルを一方の機器（例えば、レコーダ１１）で同時録画するチャンネルとして入力する場合、ユーザはリモコン１３０を操作して、同時録画する２チャンネルのチェックボックス５０３，５０４にカーソル５０６を合わせ、リモコン１３０のカラーボタン（図示しない）のうち、レコーダ１１で同時録画することを入力するためのカラーボタン表示５０８（赤）に対応する赤のカラーボタン（図示しない）を押下する。すると、表示制御部１１５は、２チャンネルのチェックボックス５０４にチェックマーク５０５を入れられる。これにより、２チャンネルがレコーダ１１で同時録画するチャンネルとして入力される。
【００６６】
同時録画するチャンネルのチェックボックス５０３，５０４にチェックマーク５０５が入れ終わり、カーソル５０６が設定完了ボタン５０７に合わせられ、かつリモコン１３０の決定ボタン（図示しない）が押下されると、表示制御部１１５は、同時録画するチャンネルおよび当該チャンネルの番組の同時録画を実行する機器を確認するためのチャンネル確認画面６００（図６参照）を表示部１２０に表示する。チャンネル確認画面６００には、チャンネル設定画面５００においてチェックボックス５０３，５０４にチェックマーク５０５が入れられたチャンネルの一覧６０１、および当該一覧６０１に含まれるチャンネルのチェックボックス５０３，５０４へのチェックマーク５０５の入力結果６０２が表示される。
【００６７】
チャンネル設定画面５００においては、一覧５０２に含まれるチャンネルのうち４チャンネルのチェックボックス５０３，５０４にはチェックマーク５０５が入れられなかったため、チャンネル確認画面６００には、４チャンネルが一覧６０１に含まれない。そして、チャンネル確認画面６００が表示部１２０に表示された状態で、リモコン１３０の決定ボタン（図示しない）が押下されると、図４ＢのステップＳ５１３において、第１受付部１１７ａおよび第２受付部１１７ｈは、チャンネル設定画面５００において入力された機器毎のチャンネルを受け付ける。具体的には、第１受付部１１７ａおよび第２受付部１１７ｈは、ループ録画部１０６（デジタルテレビジョン１０）で同時録画するチャンネルとして１，３，５，６チャンネルを受け付け、レコーダ１１で同時録画するチャンネルとして２，５チャンネルを受け付ける。
【００６８】
そして、図４ＢのステップＳ５１４において、設定部１１７ｄは、受け付けた機器毎のチャンネルを設定する。なお、チャンネル確認画面６００が表示されている際に、リモコン１３０の戻るボタン（図示しない）が押下された場合、表示制御部１１５は、再度、チャンネル設定画面５００を表示部１２０に表示するものとする。これにより、ユーザは、同時録画するチャンネルおよび当該チャンネルの同時録画する機器を入力し直すことができる。
【００６９】
次に、レコーダ１１およびループ録画部１０６が同時録画する録画時間をこだわり設定で設定する場合について説明する。
【００７０】
受信部１１７ｇは、レコーダ１１に対して当該レコーダ１１に現状で設定情報として設定されている録画時間の取得を要求して、当該レコーダ１１に現状設定されている録画時間を受信する。表示制御部１１５は、録画時間を設定する画面であって、レコーダ１１から受け取った録画時間および設定部１１７ｄによりループ録画部１０６に設定情報として設定された録画時間が表示された録画時間設定画面７００（図７参照）を表示部１２０に表示する。そして、録画時間設定画面７００を利用してレコーダ１１およびループ録画部１０６で同時録画する録画時間が設定されると、送信部１１７ｅは、設定された録画時間を設定情報としてレコーダ１１に送信する。
【００７１】
具体的には、ユーザがリモコン１３０を操作して録画時間設定画面７００の表示が要求されると、図４ＣのステップＳ５１５において、表示制御部１１５は、録画時間設定画面７００を表示部１２０に表示する。そして、図４ＣのステップＳ５１６において、録画時間設定画面７００のカーソル７０２が、設定方法を入力するための設定方法入力ボックス７０１に合わせられ、こだわり設定が入力されると、図４ＣのステップＳ５１７において、選択部１１７ｃは、録画時間の設定方法としてこだわり設定を選択する。
【００７２】
次いで、表示制御部１１５は、レコーダ１１およびループ録画部１０６で同時録画する録画時間を表す録画時間セル７０３が曜日毎（または、日毎）に並べられた録画時間設定画面７００を表示する。ユーザは、リモコン１３０を操作して、同時録画する録画時間を表す録画時間セル７０３にカーソル７０２を合わせ、リモコン１３０が備える決定ボタン（図示しない）またはカラーボタン（図示しない）を押下することにより、カーソル７０２を合わせた録画時間セル７０３が表す録画時間を、同時録画する録画時間として入力することができる。
【００７３】
なお、録画時間設定画面７００には、チャンネル設定画面５００と同様に、リモコン１３０が有するカラーボタンのうち同時録画する機器を入力するためのカラーボタンを表すカラーボタン表示７０９，７０７等が表示される。
【００７４】
例えば、日曜日のＡＭ４：００〜ＡＭ５：００の録画時間をデジタルテレビジョン１０およびレコーダ１１の両方で同時録画する録画時間として入力する場合、ユーザは、リモコン１３０を操作して、日曜日のＡＭ４：００〜ＡＭ５：００を表す録画時間セル７０３にカーソル７０２を合わせ、リモコン１３０の決定ボタン（図示しない）を押下する。すると、表示制御部１１５は、日曜日のＡＭ４：００〜ＡＭ５：００を表す録画時間セル７０３の色を、デジタルテレビジョン１０およびレコーダ１１に対応する色（例えば、青および赤）に変更する（符号７０４で示す）。これにより、日曜日のＡＭ４：００〜ＡＭ５：００がループ録画部１０６およびレコーダ１１の両方で同時録画する録画時間として入力される。
【００７５】
日曜日のＡＭ８：００〜ＡＭ９：００の録画時間をデジタルテレビジョン１０で同時録画する録画時間として入力する場合、ユーザは、リモコン１３０を操作して、日曜日のＡＭ８：００〜ＡＭ９：００を表す録画時間セル７０３にカーソル７０２を合わせ、リモコン１３０のカラーボタン（図示しない）を押下する。すると、表示制御部１１５は、日曜日のＡＭ８：００〜ＡＭ９：００を表す録画時間セル７０３の色を、デジタルテレビジョン１０に対応する色（例えば、青）に変更する（符号７０５で示す）。これにより、日曜日のＡＭ８：００〜ＡＭ９：００がループ録画部１０６で同時録画する録画時間として入力される。
【００７６】
一方、日曜日のＰＭ２３：００〜ＰＭ２４：００の録画時間をレコーダ１１で同時録画を行う録画時間として入力する場合、ユーザは、リモコン１３０を操作して、日曜日のＰＭ２３：００〜ＰＭ２４：００を表す録画時間セル７０３にカーソル７０２を合わせ、リモコン１３０のカラーボタン（図示しない）を押下する。すると、表示制御部１１５は、日曜日のＰＭ２３：００〜ＰＭ２４：００を表す録画時間セル７０３の色を、レコーダ１１に対応する色（例えば、赤）に変更する（符号７０６で示す）。これにより、日曜日のＰＭ２３：００〜ＰＭ２４：００がレコーダ１１で同時録画を実行する録画時間として入力される。
【００７７】
同時録画する録画時間を入力し終え、カーソル７０２が設定完了ボタン７０８に合わせられ、かつリモコン１３０の決定ボタン（図示しない）が押下されると、図４ＣのステップＳ５１８において、第１受付部１１７ａおよび第２受付部１１７ｈは、録画時間設定画面７００で入力された機器毎の録画時間を受け付ける。そして、図４ＣのステップＳ５１９において、設定部１１７ｄは、受け付けた機器毎の録画時間を設定する。
【００７８】
ここで、こだわり設定でチャンネルおよび録画時間が設定された場合、レコーダ１１およびループ録画部１０６は、チャンネル設定画面５００で入力されたループ録画部１０６のチャンネル（１，３，５，６チャンネル）およびレコーダ１１のチャンネル（２，５チャンネル）の同時録画を、録画時間設定画面７００でレコーダ１１およびループ録画部１０６それぞれについて設定された録画時間に実行する。そのため、図８に示すように、レコーダ１１およびループ録画部１０６それぞれが同時録画するチャンネルおよび録画時間は、レコーダ１１およびループ録画部１０６間において異なる。
【００７９】
次に、図４Ｂ、図４Ｃ、および図９〜１２を用いて、おまかせ設定が選択された場合における、レコーダ１１およびループ録画部１０６に対する設定情報の設定について説明する。図９は、同時録画するチャンネルをおまかせ設定で設定する際のチャンネル設定画面の一例を示す図である。図１０は、同時録画するチャンネルをおまかせ設定で設定した際のチャンネル確認画面の一例を示す図である。図１１は、同時録画する録画時間をおまかせ設定で設定する際の録画時間設定画面の一例を示す図である。図１２は、同時録画する録画時間をおまかせ設定で設定した際の録画時間確認画面の一例を示す図である。
【００８０】
まず、レコーダ１１およびループ録画部１０６が同時録画するチャンネルをおまかせ設定で設定する場合について説明する。
【００８１】
レコーダ１１およびループ録画部１０６が同時録画するチャンネルをデジタルテレビジョン１０で設定する場合、受信部１１７ｇは、レコーダ１１に対して当該レコーダ１１に現状で設定情報として設定されているチャンネルの取得を要求して、当該レコーダ１１に現状設定されているチャンネルを受信する。表示制御部１１５は、チャンネルを設定するための画面であって、レコーダ１１から受け取ったチャンネルおよび設定部１１７ｄによりループ録画部１０６に設定情報として設定されたチャンネルが表示されたチャンネル設定画面５００（図９参照）を表示部１２０に表示する。そして、チャンネル設定画面５００を利用してレコーダ１１およびループ録画部１０６で同時録画するチャンネルが設定されると、送信部１１７ｅは、設定されたチャンネルをレコーダ１１に送信する。
【００８２】
具体的には、ユーザがリモコン１３０を操作してチャンネル設定画面５００の表示が要求されると、表示制御部１１５は、図４ＢのステップＳ５１０において、チャンネル設定画面５００を表示部１２０に表示する。そして、図４ＢのステップＳ５１１において、チャンネル設定画面５００のカーソル５０６が、設定方法を入力するための設定方法入力ボックス５０１に合わせられ、おまかせ設定が入力されると、選択部１１７ｃは、図４ＢのステップＳ５２０において、チャンネルの設定方法としておまかせ設定を選択する。
【００８３】
次いで、表示制御部１１５は、レコーダ１１およびループ録画部１０６で同時録画するチャンネルの一覧５０２や、当該一覧５０２に含まれるチャンネルのうち同時録画するチャンネルを入力するためのチェックボックス９０１を、チャンネル設定画面５００に表示する。なお、設定情報の設定方法としておまかせ設定を選択した場合、同時録画するチャンネルをいずれの機器で同時録画するかは、設定部１１７ｄにより自動的に選択されるため、チャンネル設定画面５００には、同時録画する機器を入力するためのチェックボックスは表示されない。ユーザは、リモコン１３０を操作して同時録画するチャンネルのチェックボックス９０１にカーソル５０６を合わせ、リモコン１３０の決定ボタン（図示しない）を押下してチェックボックス９０１にチェックマーク５０５を入れることで、同時録画するチャンネルを入力することができる。ここで、チェックボックス９０１にチェックマーク５０５を入れることができるチャンネルの数は、レコーダ１１およびデジタルテレビジョン１０が備えるチューナの数の合計となる。例えば、６つのチューナを備えた機器が２台接続されている場合、１２チャンネル分のチェックボックス９０１にチェックマークを入れることができる。つまり、１２チャンネル分のチャンネルを同時録画するチャンネルとして入力することができる。
【００８４】
同時録画するチャンネルのチェックボックス９０１にチェックマーク５０５が入れ終わり、カーソル５０６が設定完了ボタン５０７に合わせられ、かつリモコン１３０の決定ボタン（図示しない）が押下されると、表示制御部１１５は、同時録画するチャンネルおよび当該チャンネルの番組の同時録画する機器を確認するためのチャンネル確認画面１０００を表示部１２０に表示する。チャンネル確認画面１０００には、チャンネル設定画面９００においてチェックボックス９０１にチェックマーク５０５が入れられたチャンネルの一覧６０１、および当該一覧６０１に含まれるチャンネルのチェックボックス９０１へのチェックマーク５０５の入力結果６０２が表示される。
【００８５】
チャンネル設定画面９００においては、一覧５０２に含まれるチャンネルのうち２，３，６チャンネルのチェックボックス９０１にのみチェックマーク５０５が入れられ、１，４，５チャンネルのチェックボックス９０１にはチェックマーク５０５が入れられなかったため、一覧６０１には１，４，５チャンネルは含まれない。一覧６０１に含まれる各チャンネルの同時録画を、レコーダ１１およびループ録画部１０６のいずれで実行するかは、図４ＢのステップＳ５２１において、設定部１１７ｄによって自動的に設定される。
【００８６】
具体的には、図４ＢのステップＳ５２０において、設定部１１７ｄは、第１取得部１１７ｂで取得された容量情報が示す第２記録容量（ループ録画領域１１０Ａの記録容量）が第１記録容量よりも多い場合、同時録画する２，３，６チャンネルのうち、２つのチャンネル（３，６チャンネル）をループ録画部１０６が同時録画するチャンネルに設定する。一方、設定部１１７ｄは、１つのチャンネル（２チャンネル）をレコーダ１１が同時録画するチャンネルに設定する。なお、チャンネル確認画面１０００が表示されている際に、リモコン１３０の戻るボタン（図示しない）が押下された場合、表示制御部１１５は、再度、チャンネル設定画面９００を表示部１２０に表示するものとする。これにより、ユーザは、同時録画するチャンネルを入力し直すことができる。
【００８７】
次に、レコーダ１１およびループ録画部１０６が同時録画する録画時間をおまかせ設定で設定する場合について説明する。
【００８８】
レコーダ１１およびループ録画部１０６が同時録画する録画時間をデジタルテレビジョン１０で設定する場合、受信部１１７ｇは、レコーダ１１に対して当該レコーダ１１に現状で設定情報として設定されている録画時間の取得を要求して、当該レコーダ１１に現状設定されている録画時間を受信する。表示制御部１１５は、録画時間を設定する画面であって、レコーダ１１から受け取った録画時間および設定部１１７ｄによりループ録画部１０６に設定情報として設定された録画時間が表示された録画時間設定画面１１００（図１１参照）を表示部１２０に表示する。そして、録画時間設定画面１１００を利用してレコーダ１１およびループ録画部１０６で同時録画する録画時間が設定されると、送信部１１７ｅは、設定された録画時間を設定情報としてレコーダ１１に送信する。
【００８９】
具体的には、ユーザがリモコン１３０を操作して録画時間設定画面１１００の表示が要求されると、図４ＣのステップＳ５１５において、表示制御部１１５は、録画時間設定画面１１００を表示部１２０に表示する。そして、図４ＣのステップＳ５１６において、録画時間設定画面１１００において、カーソル７０２が、設定方法を入力するための設定方法入力ボックス７０１に合わせられ、おまかせ設定が入力されると、図４ＣのステップＳ５２２において、選択部１１７ｃは、録画時間の設定方法としておまかせ設定を選択する。
【００９０】
次いで、表示制御部１１５は、レコーダ１１およびループ録画部１０６で同時録画する録画時間を表す録画時間セル７０３が曜日毎（または、日毎）に並べられた録画時間設定画面１１００を表示する。ユーザは、リモコン１３０を操作して、同時録画する録画時間を表す録画時間セル７０３にカーソル７０２を合わせ、リモコン１３０が備える決定ボタン（図示しない）を押下することにより、カーソル７０２を合わせた録画時間セル７０３が表す録画時間を、同時録画する録画時間として入力することができる。
【００９１】
例えば、日曜日のＡＭ４：００〜ＡＭ５：００の録画時間を同時録画する録画時間として入力する場合、ユーザは、リモコン１３０を操作して、日曜日のＡＭ４：００〜ＡＭ５：００を表す録画時間セル７０３にカーソル７０２を合わせ、リモコン１３０の決定ボタン（図示しない）を押下する。すると、表示制御部１１５は、日曜日のＡＭ４：００〜ＡＭ５：００を表す録画時間セル７０３の色を、録画時間として入力されていない録画時間セル７０３とは異なる色に変更する（符号１１０１で示す）。これにより、日曜日のＡＭ４：００〜ＡＭ５：００が同時録画する録画時間として入力される。
【００９２】
同時録画する録画時間を入力し終え、カーソル７０２が設定完了ボタン７０８に合わせられ、かつリモコン１３０の決定ボタン（図示しない）が押下されると、表示制御部１１５は、同時録画する録画時間を確認するための録画時間確認画面１２００を表示部１２０に表示する（図１２参照）。録画時間確認画面１２００には、録画時間設定画面１１００における録画時間の入力結果１２０１が表示される。本実施形態では、録画時間確認画面１２００には、入力された録画時間を表す録画時間セル７０３の色を、デジタルテレビジョン１０およびレコーダ１１それぞれに対応する色（例えば、青と赤）に変更することにより、録画時間設定画面１１００における録画時間の入力結果１２０１を表示する。そして、録画時間確認画面１２００が表示された状態で、リモコン１３０の決定ボタン（図示しない）が押下されると、図４ＣのステップＳ５２３において、設定部１１７ｄは、録画時間設定画面１１００で入力された録画時間を、レコーダ１１およびループ録画部１０６の両方が同時録画する録画時間に設定する。
【００９３】
なお、本実施形態では、おまかせ設定で録画時間を設定する場合、録画時間設定画面１００で入力された録画時間を、レコーダ１１およびループ録画部１０６の両方が同時録画する録画時間に設定しているが、これに限定するものではなく、録画時間設定画面１１００で入力された録画時間毎に、レコーダ１１およびループ録画部１０６のうち少なくとも一方が同時録画するように、レコーダ１１およびループ録画部１０６が同時録画する録画時間を設定しても良い。
【００９４】
ここで、おまかせ設定でチャンネルおよび録画時間が設定された場合、レコーダ１１およびループ録画部１０６は、第１取得部１１７ｂにより取得された容量情報が示す第１記録容量および第２記録容量に従って設定されたレコーダ１１のチャンネル（２チャンネル）およびループ録画部１０６のチャンネル（３，６チャンネル）の同時録画を、録画時間設定画面１１００で入力された録画時間に同時に実行する。そのため、レコーダ１１およびループ録画部１０６それぞれが同時録画するチャンネルは、レコーダ１１およびループ録画部１０６間において異なるが、レコーダ１１およびループ録画部１０６で同時録画する録画時間は、レコーダ１１およびループ録画部１０６間において同じである。
【００９５】
次に、図１３を用いて、こだわり設定でレコーダ１１およびループ録画部１０６それぞれが同時録画するチャンネルが設定され、おまかせ設定でレコーダ１１およびループ録画部１０６それぞれが同時録画する録画時間が設定された場合における、レコーダ１１およびループ録画部１０６における同時録画の一例について説明する。図１３は、こだわり設定で設定されたチャンネルおよびおまかせ設定で設定された録画時間に従って各機器で実行される同時録画の一例を説明するための図である。なお、こだわり設定でレコーダ１１およびループ録画部１０６それぞれが同時録画するチャンネルを設定する方法、およびおまかせ設定でレコーダ１１およびループ録画部１０６それぞれが同時録画する録画時間を設定する方法は、上述した方法と同様であるため、説明を省略する。
【００９６】
こだわり設定でチャンネルが設定され、かつおまかせ設定で録画時間が設定された場合、レコーダ１１およびループ録画部１０６は、チャンネル設定画面５００で入力されたループ録画部１０６のチャンネル（１，３，４，６チャンネル）およびレコーダ１１のチャンネル（２，５チャンネル）の同時録画を、録画時間設定画面１１００で入力された録画時間に同時に実行する。そのため、レコーダ１１およびループ録画部１０６それぞれが同時録画するチャンネルは、レコーダ１１およびループ録画部１０６間において異なるが、レコーダ１１およびループ録画部１０６で同時録画する録画時間は機器間において同じである。
【００９７】
次に、図１４を用いて、おまかせ設定でレコーダ１１およびループ録画部１０６それぞれが同時録画するチャンネルが設定され、こだわり設定でレコーダ１１およびループ録画部１０６それぞれが同時録画する録画時間が設定された場合における、レコーダ１１およびループ録画部１０６における同時録画の一例について説明する。図１４は、おまかせ設定で設定されたチャンネルおよびこだわり設定で設定された録画時間に従って各機器での同時録画の一例を説明するための図である。なお、おまかせ設定でレコーダ１１およびループ録画部１０６それぞれが同時録画するチャンネルを設定する方法、およびこだわり設定でレコーダ１１およびループ録画部１０６それぞれが同時録画する録画時間を設定する方法は、上述した方法と同様であるため、説明を省略する。
【００９８】
おまかせ設定でチャンネルが設定され、かつこだわり設定で録画時間が設定された場合、レコーダ１１およびループ録画部１０６は、第１取得部１１７ｂにより取得された容量情報が示す第１記録容量および第２記録容量に従って設定されたレコーダ１１のチャンネル（２，５チャンネル）およびループ録画部１０６のチャンネル（１，３，４チャンネル）の同時録画を、録画時間設定画面７００でレコーダ１１およびループ録画部１０６それぞれについて入力された録画時間に実行する。そのため、図１４に示すように、レコーダ１１およびループ録画部１０６それぞれが同時録画するチャンネルは、レコーダ１１およびループ録画部１０６間において異なる。また、図１４に示すように、レコーダ１１およびループ録画部１０６それぞれが同時録画する録画時間も、レコーダ１１およびループ録画部１０６間において異なる。
【００９９】
なお、おまかせ設定でレコーダ１１およびループ録画部１０６それぞれが同時録画するチャンネルが設定された場合、設定部１１７ｄは、上述したように、取得部１１７ｂにより取得された容量情報が示す第１記録容量および第２記録容量に従って、レコーダ１１およびループ録画部１０６それぞれが同時録画するチャンネルを設定する。例えば、容量情報が示す第１記録容量と第２記録容量とが異なる場合、設定部１１７ｄは、ビットレートが高いチャンネルを、レコーダ１１およびループ録画部１０６のうち、記録容量が大きい記録媒体に対して同時録画する方に設定し、ビットレートが低いチャンネルを、レコーダ１１およびループ録画部１０６のうち、記録容量が小さい記録媒体に対して同時録画する方に設定する。また、容量情報が示す第１記録容量と第２記録容量とが異なり、かつチャンネル設定画面９００で入力されたチャンネル数が奇数である場合、設定部１１７ｄは、レコーダ１１およびループ録画部１０６のうち、記録容量が多い記録媒体に対して同時録画する方に他方より多くのチャンネルを設定し、記録容量が少ない記録媒体に対して同時録画する方に少ないチャンネルを設定する。
【０１００】
次に、図１５を用いて、おまかせ設定でレコーダ１１およびループ録画部１０６それぞれが同時録画するチャンネルおよび録画時間が設定された場合における、レコーダ１１およびループ録画部１０６における同時録画の他の例について説明する。図１５は、おまかせ設定で設定されたチャンネルおよび録画時間に従って各機器で実行される同時録画の他の例を説明するための図である。
【０１０１】
なお、図９〜１２を用いて説明した例では、おまかせ設定でレコーダ１１およびループ録画部１０６それぞれが同時録画するチャンネルおよび録画時間を設定した場合、設定部１１７ｄは、レコーダ１１およびループ録画部１０６それぞれが同時録画するチャンネルが、レコーダ１１およびループ録画部１０６間において異なるように設定し、レコーダ１１およびループ録画部１０６で同時録画する録画時間が、レコーダ１１およびループ録画部１０６間において同じに設定しているが、これに限定するものではない。設定部１１７ｄは、レコーダ１１およびループ録画部１０６それぞれが同時録画するチャンネルが、レコーダ１１およびループ録画部１０６間において同じにし、レコーダ１１およびループ録画部１０６で同時録画する録画時間が、レコーダ１１およびループ録画部１０６間において異なるように設定しても良い。例えば、設定部１１７ｄは、容量情報が示す第１記録容量と第２記録容量とが異なる場合、レコーダ１１およびループ録画部１０６で同時録画するチャンネルが同じにし、かつレコーダ１１およびループ録画部１０６のうち、記録容量が多い記録媒体に同時録画する方に長い録画時間を設定し、記録容量が少ない記録媒体に同時録画する方に短い録画時間を設定する。
【０１０２】
この場合、レコーダ１１およびループ録画部１０６は、チャンネル設定画面５００で設定されたレコーダ１１のチャンネル（１〜６チャンネル）およびループ録画部１０６のチャンネル（１〜６チャンネル）の同時録画を、異なる録画時間に実行することになる。これにより、図１５に示すように、レコーダ１１およびループ録画部１０６によって所定のチャンネル（例えば、１〜６チャンネル）を同時録画できる合計の録画時間を、レコーダ１１およびループ録画部１０６それぞれで異なるチャンネルを同時録画する場合の録画時間よりも長くすることができる。
【０１０３】
次に、図１６〜１８を用いて、レコーダ１１およびループ録画部１０６で同時録画した番組の番組表（過去番組表）を表示する処理の詳細について説明する。図１６は、レコーダおよびループ録画部で同時録画した番組の番組情報を並べた過去番組表の一例を示す図である。図１７は、レコーダおよびループ録画部で同時録画した番組の番組情報を取得する処理を説明するための図である。図１８は、レコーダおよびループ録画部で同時録画をした番組の番組情報を並べた過去番組表をスクロールさせる処理を説明するための図である。
【０１０４】
第２取得部１１７ｆは、リモコン１３０が操作されて過去番組表の表示が要求されると、レコーダ１１に対して、レコーダ１１が同時録画したチャンネルの番組の第１番組情報の取得を要求する。なお、第２取得部１１７ｆは、過去番組表の表示が要求された際に、表示部１２０に最初に表示する過去番組表に含める所定時間分の第１番組情報（例えば、レコーダ１１が同時録画したチャンネルの番組のうち、最後の６時間に同時録画したチャンネルの番組の第１番組情報）をレコーダ１１から予め取得しておくものとする。つまり、第２取得部１１７ｆは、常時、デジタルテレビジョン１０と接続された機器（例えば、レコーダ１１）と通信を行い、デジタルテレビジョン１０以外の機器で同時録画されたチャンネルの番組の第１番組情報を所定時間分取得しておくものとする。
【０１０５】
そして、レコーダ１１に対して第１番組情報の取得を要求するのと同時に、第２取得部１１７ｆは、予め取得した第１番組情報をＥＰＧ処理部１１２に送る。ＥＰＧ処理部１１２は、第２取得部１１７ｆによって取得した第１番組情報と、ループ録画部１０６が同時録画したチャンネルの番組の第２番組情報（つまり、ＥＰＧメモリ１１３に記憶されたＥＰＧ情報）のうち所定時間分の第２番組情報（例えば、ループ録画部１０６が同時録画したチャンネルの番組の第１番組情報のうち、最後の６時間に同時録画したチャンネルの番組の第１番組情報）と、をチャンネル毎に時系列に並べた過去番組表を作成し、表示制御部１１５に送る。表示制御部１１５は、ＥＰＧ処理部１１２から受け取った過去番組表１６００を表示部１２０に表示する。
【０１０６】
第２取得部１１７ｆは、過去番組表１６００の表示と同時にまたは過去番組表１６００が表示された後に、図１７に示すように、レコーダ１１から、過去番組表１６００に並べられた第１番組情報の前後の所定時間（例えば、６時間）以内にレコーダ１１により同時録画されたチャンネルの番組の第１番組情報を取得するものとする。従来は、別々の機器で同時録画された番組を確認する際、それぞれの機器を起動・操作して、別々の過去番組表で番組を確認しなければならなかったが、本実施形態によれば、ユーザは、過去番組表に並べられている番組情報が示す番組がどの機器に保存されているのかを意識せずに、１つの機器でシームレスに表示することができる。
【０１０７】
また、図１７に示す過去番組表１６００に並べられた所定時間分の第１番組情報が、当該所定時間よりも前または後に同時録画されたチャンネルの番組を示す第１番組情報の表示へと変更された場合（つまり、過去番組表１６００が過去または未来へとスクロールされた場合）、過去番組表１６００に新たに並べられた所定時間分の第１番組情報の前後の所定時間（例えば、６時間）以内にレコーダ１１により同時録画されたチャンネルの番組を示す第１番組情報に不足分が発生する（図１８参照）。この場合、第２取得部１１７ｆは、レコーダ１１に対して、新たに第１番組情報の取得を要求する。そして、第２取得部１１７ｆは、常に、過去番組表１６００に並べられた所定時間分の第１番組情報の前後の所定時間（例えば、６時間）以内にレコーダ１１により同時録画されたチャンネルの番組の第１番組情報（追加部分）を取得する（図１８参照）。つまり、第２取得部１１７ｆは、過去番組表１６００に並べられた所定時間分の第１番組情報の前後の所定時間（６時間）以上の第１番組情報を取得している状態となる。
【０１０８】
さらに、過去番組表１６００が表示部１２０に表示されている際に、過去番組表１６００に並べられた番組情報が示す番組が同時録画された日時とは異なる他の日時が入力され、当該他の日時に同時録画された番組を示す番組情報を並べた過去番組表の表示が要求された場合、第２取得部１１７ｆは、レコーダ１１に対して、当該入力された他の日時に同時録画された番組を示す第１番組情報の取得を要求する。そして、第２取得部１１７ｆは、当該入力された他の日時に同時録画されたチャンネルの番組を示す第１番組情報を取得し、当該取得した第１番組情報をＥＰＧ処理部１１２に送る。ＥＰＧ処理部１１２は、第２取得部１１７ｆによって取得した第１番組情報と、ループ録画部１０６が同時録画された番組を示す第２番組情報のうち当該入力された他の日時に同時録画した番組を示す第２番組情報と、をチャンネル毎に時系列に並べた過去番組表を作成し、表示制御部１１５に送る。表示制御部１１５は、ＥＰＧ処理部１１２から受け取った過去番組表を表示部１２０に表示する。
【０１０９】
なお、第２取得部１１７ｆは、当該入力された他の日時の過去番組表の表示と同時にまたは当該入力された他の日時の過去番組表が表示された後に、レコーダ１１から、当該入力された他の日時の過去番組表に並べられた所定時間分の第１番組情報の前後の所定時間（例えば、６時間）以内にレコーダ１１により同時録画されたチャンネルの番組を示す第１番組情報を取得する。
【０１１０】
次に、表示部１２０に表示された過去番組表１６００から第１番組情報または第２番組情報を選択し、選択した第１番組情報または第２番組情報が示す番組を再生する処理について説明する。
【０１１１】
まず、図１に示すように、デジタルテレビジョン１０とレコーダ１１とがＬＡＮ１４およびＨＤＭＩ１３によって接続されている場合について説明する。表示部１２０に表示された過去番組表１６００に並べられた第１番組情報および第２番組情報の中から再生対象の番組の番組情報が選択され、当該選択された番組情報が第２番組情報である場合、入力切替部１０９は、再生部１０８に入力する番組を、ループ録画領域１１０Ａから、選択された第２番組情報が示す番組を読み出して再生部１０８に入力する。
【０１１２】
一方、表示部１２０に表示された過去番組表１６００に並べられた第１番組情報および第２番組情報の中から再生対象の番組を示す番組情報が選択され、当該選択された番組情報が第１番組情報である場合、入力切替部１０９は、選択された第１番組情報が示す番組を、ＨＤＭＩ１３を経由してレコーダ１１から読み出して再生部１０８に入力する。これにより、他の機器に保存されている番組を簡単に再生することが可能となる。
【０１１３】
次に、デジタルテレビジョン１０とレコーダ１１とがＨＤＭＩ１３で接続されておらず、ＬＡＮ１４で接続されている場合について説明する。表示部１２０に表示された過去番組表１６００に並べられた第１番組情報および第２番組情報の中から再生対象の番組を示す番組情報が選択され、当該選択された番組情報が第２番組情報である場合、再生部１０８は、ループ録画領域１１０Ａから、当該選択された第２番組情報が示す番組を読み出し再生する。一方、表示部１２０に表示された過去番組表１６００に並べられた第１番組情報および第２番組情報の中から再生対象の番組の番組情報が選択され、当該選択された番組情報が第１番組情報である場合、再生部１０８は、ＬＡＮ１４を利用したＤＭＳ配信により、レコーダ１１から、当該選択された第１番組情報が示す番組を読み出して再生する。このとき、デジタルテレビジョン１０がＤＭＰとして機能し、レコーダ１１がＤＭＳとして機能する。これにより、再生部１０８への入力切替およびＤＭＳ配信などが自動で行われるので、ユーザは簡単な操作で他の機器に保存されている番組を視聴することができる。
【０１１４】
このように本実施形態のデジタルテレビジョン１０は、複数チャンネルの番組を第１記録媒体に同時録画するレコーダ１１と接続された録画装置であって、複数チャンネルの番組を第２記録媒体に同時録画するループ録画部１０６と、レコーダ１１およびループ録画部１０６による同時録画に関する設定情報を受け付ける第１受付部１１７ａと、レコーダ１１およびループ録画部１０６のうち受け付けた設定情報の設定先を受け付ける第２受付部１１７ｈと、レコーダ１１が同時録画する記録媒体の第１記録容量を示す容量情報を取得する第１取得部１１７ｂと、受け付けた設定情報を受け付けた設定先に設定する第１設定方法、または取得した容量情報が示す第１記録容量およびループ録画部１０６が同時録画する記録媒体の第２記録容量に従って、受け付けた設定情報をレコーダ１１またはループ録画部１０６に設定する第２設定方法を選択する選択部１１７ｃと、第１設定方法が選択された場合、受け付けた設定情報を受け付けた設定先に設定し、第２設定方法が選択された場合、第１記録容量および第２記録容量に従って、受け付けた設定情報をレコーダ１１またはループ録画部１０６に設定する設定部１１７ｄと、レコーダ１１に設定された設定情報をレコーダ１１に送信する送信部１１７ｅと、を備え、ループ録画部１０６は、当該ループ録画部１０６に設定された設定情報に従って複数チャンネルの番組を記録媒体に同時録画することにより、レコーダ１１およびループ録画部１０６に対する設定情報の設定を任意の設定方法で一括して設定することができるので、ユーザが希望する設定方法でレコーダ１１およびループ録画部１０６に対する設定情報の設定を行うことができ、かつレコーダ１１およびループ録画部１０６に対して設定情報を設定する際のユーザの手間を軽減することができる。
【０１１５】
なお、本実施形態のデジタルテレビジョン１０で実行されるプログラムは、ＲＯＭ等に予め組み込まれて提供されるが、これに限定するものではなく、本実施形態のデジタルテレビジョン１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【０１１６】
さらに、本実施形態のデジタルテレビジョン１０で実行されるプログラムを、インターネット等のネットワークに接続されたコンピュータ上に格納し、ネットワーク経由でダウンロードさせることにより提供するように構成しても良い。また、本実施形態のデジタルテレビジョン１０で実行されるプログラムをインターネット等のネットワーク経由で提供または配布するように構成しても良い。
【０１１７】
本実施形態のデジタルテレビジョン１０で実行されるプログラムは、上述した各部（ループ録画部１０６、再生部１０８、入力切替部１０９、受信部１１７ｇ、第１受付部１１７ａ、第２受付部１１７ｈ、第１取得部１１７ｂ、選択部１１７ｃ、設定部１１７ｄ、送信部１１７ｅ、第２取得部１１７ｆ）を含むモジュール構成となっており、実際のハードウェアとしてはＣＰＵ（プロセッサ）が上記ＲＯＭからプログラムを読み出して実行することにより上記各部が主記憶装置上にロードされ、ループ録画部１０６、再生部１０８、入力切替部１０９、受信部１１７ｇ、第１受付部１１７ａ、第２受付部１１７ｈ、第１取得部１１７ｂ、選択部１１７ｃ、設定部１１７ｄ、送信部１１７ｅ、第２取得部１１７ｆが主記憶装置上に生成されるようになっている。
【０１１８】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【０１１９】
１０・・・デジタルテレビジョン、１１・・・レコーダ、１３・・ＨＤＭＩ、１４・・・ＬＡＮ、１５・・・ＭＦＣモジュール、１０６・・・ループ録画部、１０８・・・再生部、１０９・・・入力切替部、１１７ａ・・・第１受付部、１１７ｂ・・・第１取得部、１１７ｃ・・・選択部、１１７ｄ・・・設定部、１１７ｅ・・・送信部、１１７ｆ・・・第２取得部、１１７ｇ・・・受信部、１１７ｈ・・・第２受付部。
【要約】      （修正有）【課題】ユーザが希望する設定方法で機器毎の設定情報を設定でき、かつ機器毎の設定情報を設定する際のユーザの手間を軽減することができる録画装置および録画方法を提供する。【解決手段】録画装置は、複数チャンネルの番組を記録媒体に同時録画する機器と接続された録画装置であって、録画制御部と、第１受付部と、第２受付部と、第１取得部と、選択部と、設定部と、送信部と、を備える。前記録画制御部は、複数チャンネルの番組を記録媒体に同時録画する。前記第１受付部は、前記機器および前記録画制御部による同時録画に関する設定情報を受け付ける。前記第２受付部は、前記機器および前記録画制御部のうち前記受け付けた設定情報の設定先を受け付ける。前記第１取得部は、前記機器が同時録画する前記記録媒体の第１記録容量を示す容量情報を取得する。【選択図】図１【図１】
0005132811.tif 000002
【図２】
0005132811.tif 000003
【図３】
0005132811.tif 000004
【図４Ａ】
0005132811.tif 000005
【図４Ｂ】
0005132811.tif 000006
【図４Ｃ】
0005132811.tif 000007
【図５】
0005132811.tif 000008
【図６】
0005132811.tif 000009
【図７】
0005132811.tif 000010
【図８】
0005132811.tif 000011
【図９】
0005132811.tif 000012
【図１０】
0005132811.tif 000013
【図１１】
0005132811.tif 000014
【図１２】
0005132811.tif 000015
【図１３】
0005132811.tif 000016
【図１４】
0005132811.tif 000017
【図１５】
0005132811.tif 000018
【図１６】
0005132811.tif 000019
【図１７】
0005132811.tif 000020
【図１８】
0005132811.tif 000021